(57)【要約】【課題】電柱の足場ボルト用の設備に既存の看板を取付・支持させることにより、既設の電柱を利用して邪魔になることなく看板を目立つ高さに設置できるようにして、通行人や車両の運転手などに各種情報を既存の看板などを利用して手軽かつ効果的に知らせることのできる看板取付金具を提供すること。【解決手段】電柱に予め準備されている足場ボルト用のネジ穴の高さに各種情報を表示した看板を設置することを可能にする看板取付金具１０であって、電柱の足場ボルト用ネジ穴に取付ボルト１２を螺合させて該電柱に取り付ける電柱取付部１１と、各種情報を表示した既存の看板１００を保持する看板保持部２１と、電柱取付部および看板保持部を連結状態にして電柱の足場ボルトの設置側に看板の背面側が正対する姿勢に該看板を支持する連結支持部３１と、を備える。【選択図】図１
2009014878.tif 000002
【特許請求の範囲】
【請求項１】
電柱に予め準備されている足場ボルト用のネジ穴の高さに各種情報を表示した看板を設置することを可能にする看板取付金具であって、
電柱の足場ボルト用ネジ穴に取付ボルトを螺合させて該電柱に取り付ける電柱取付部と、各種情報を表示した既存の看板を保持する看板保持部と、電柱取付部および看板保持部を連結状態にして電柱の足場ボルトの設置側に看板の背面側が正対する姿勢に該看板を支持する連結支持部と、を備えることを特徴とする看板取付金具。
【請求項２】
前記電柱取付部は、電柱の足場ボルト用ネジ穴に螺合させる取付ボルトを貫通させて該電柱の外周面に圧接させることにより位置決め固定する圧接部材を備えており、
該圧接部材の取付ボルトの貫通穴は、電柱の周方向に延在する長穴に形成されていることを特徴とする請求項１に記載の看板取付金具。
【請求項３】
前記電柱取付部の取付ボルトは、回転用のハンドルを備えることを特徴とする請求項１または２に記載の看板取付金具。
【請求項４】
前記連結支持部は、電柱取付部の取付ボルトの側方を回動支点として看板保持部を取付ボルトに対して対面離隔する方向に回動自在に支持していることを特徴とする請求項１から３のいずれかに記載の看板取付金具。
【請求項５】
前記看板保持部は、看板の側辺を挟圧して保持する手段を備えており、該保持手段における当該看板に圧接させる圧接部の離隔間隔を調整する手段を有することを特徴とする請求項１から４のいずれかに記載の看板取付金具。
【請求項６】
前記連結支持部は、電柱取付部と看板保持部の間の離隔間隔を調整する手段を備えることを特徴とする請求項１から５のいずれかに記載の看板取付金具。
【発明の詳細な説明】
【技術分野】
【０００１】
本発明は、看板取付金具に関し、詳しくは、通行の邪魔になることなく、また、車道などから見やすく看板を設置することのできるものに関する。
【背景技術】
【０００２】
従来、工事中であることなどを通行人や車両の運転手に知らせるために立看板をその現場の手前側周辺に配置することが行われており、この立看板は、電柱などに立て掛けたり、開閉可能な脚を備えさせることにより自立させて、所望の位置に設置されている。
【０００３】
この種の立看板は、強風などで飛ばされてしまうことを防止するために、ガードレールに固設することが行われており、例えば、ガードレールの横板やワイヤーに取り付ける金具（例えば、特許文献１参照）や、ガードレールの支柱に取り付ける金具（例えば、特許文献２参照）が提案されている。
【０００４】
しかしながら、この文献１、２に記載の看板取付金具は、ガードレールに立看板を別途取付固定するものであることから、その立看板の設置面積が新たに必要であり、歩行者の通行の邪魔になる。また、文献１に記載の看板取付金具では、ガードレールの横板の内側、すなわち、歩道内に立看板を設置することから、車道側の運転手には見え辛い、という問題があった。
【０００５】
また、立看板以外でも、電柱の足場ボルトに引っ掛けることのできる看板も提案されているが（例えば、特許文献３参照）、この文献３に記載の看板では、特別に専用看板として作製する必要があり、既存の立看板を流用することができない、という不便があった。
【特許文献１】実用新案登録第３０３８７４３号公報
【特許文献２】特開平９−３１６８３４号公報
【特許文献３】実用新案登録第３０７５８８９号公報
【発明の開示】
【発明が解決しようとする課題】
【０００６】
そこで、本発明は、電柱の足場ボルト用の設備に既存の看板を取付・支持させることにより、既設の電柱を利用して邪魔になることなく看板を目立つ高さに設置できるようにして、通行人や車両の運転手などに各種情報を既存の看板などを利用して手軽かつ効果的に知らせることのできる看板取付金具を提供することを目的とする。
【課題を解決するための手段】
【０００７】
上記課題を解決する看板取付金具の第１の発明は、電柱に予め準備されている足場ボルト用のネジ穴の高さに各種情報を表示した看板を設置することを可能にする看板取付金具であって、電柱の足場ボルト用ネジ穴に取付ボルトを螺合させて該電柱に取り付ける電柱取付部と、各種情報を表示した既存の看板を保持する看板保持部と、電柱取付部および看板保持部を連結状態にして電柱の足場ボルトの設置側に看板の背面側が正対する姿勢に該看板を支持する連結支持部と、を備えることを特徴とするものである。
【０００８】
この発明では、電柱の足場ボルト用ネジ穴に電柱取付部の取付ボルトを螺合させるとともに看板保持部に看板を保持させることにより、その電柱取付部と看板保持部を連結状態にする連結支持部が、電柱の足場ボルト側に背面側を正対させる姿勢に看板を支持・取付することができる。したがって、歩行者にとって新たな邪魔な存在になることなく、既存の立看板などを電柱の足場ボルトの高さに取り付けて設置することができる。
【０００９】
上記課題を解決する看板取付金具の第２の発明は、上記第１の発明の特定事項に加え、前記電柱取付部は、電柱の足場ボルト用ネジ穴に螺合させる取付ボルトを貫通させて該電柱の外周面に圧接させることにより位置決め固定する圧接部材を備えており、該圧接部材の取付ボルトの貫通穴は、電柱の周方向に延在する長穴に形成されていることを特徴とするものである。
【００１０】
この発明では、圧接部材の長穴を貫通する取付ボルトを電柱の足場ボルト用ネジ穴に螺合させることにより、その圧接部材を電柱の外周面に圧接させて位置決め固定することができ、取付ボルトを圧接部材の長穴内でずらすことにより看板の電柱に対する相対位置を調整することができる。したがって、看板を電柱の外面にしっかりと固定することができるとともに、看板を電柱に見やすい姿勢で取り付けることができる。
【００１１】
上記課題を解決する看板取付金具の第３の発明は、上記第１または第２の発明の特定事項に加え、前記電柱取付部の取付ボルトは、回転用のハンドルを備えることを特徴とするものである。
【００１２】
この発明では、取付ボルトをハンドルにより回転させて電柱の足場ボルト用ネジ穴に螺合させて締め付けることができる。したがって、電柱の足場ボルト用ネジ穴に取付ボルトを容易に螺合させて、看板を電柱の所望の高さに取り付けることができる。
【００１３】
上記課題を解決する看板取付金具の第４の発明は、上記第１から第３のいずれかの発明の特定事項に加え、前記連結支持部は、電柱取付部の取付ボルトの側方を回動支点として看板保持部を取付ボルトに対して対面離隔する方向に回動自在に支持していることを特徴とするものである。
【００１４】
この発明では、電柱の足場ボルト用ネジ穴に螺合させる取付ボルトの側方を回動支点として看板を保持する看板保持部を回動させて対面離隔させることができる。したがって、取付ボルトを螺合回転させる作業空間を開閉することができ、その螺合作業を容易に行うことができるとともに、その取付ボルトを隠していたずらされることを回避することができる。
【００１５】
上記課題を解決する看板取付金具の第５の発明は、上記第１から第４のいずれかの発明の特定事項に加え、前記看板保持部は、看板の側辺を挟圧して保持する手段を備えており、該保持手段における当該看板に圧接させる圧接部の離隔間隔を調整する手段を有することを特徴とするものである。
【００１６】
この発明では、看板の側辺を挟圧して保持する保持部間の離隔間隔を調整することができ、幅の異なる看板を保持することができる。したがって、多種多様の看板を保持して電柱の所望の高さに取り付けることができる。
【００１７】
上記課題を解決する看板取付金具の第６の発明は、上記第１から第５のいずれかの発明の特定事項に加え、前記連結支持部は、電柱取付部と看板保持部の間の離隔間隔を調整する手段を備えることを特徴とするものである。
【００１８】
この発明では、足場ボルト用ネジ穴に取付ボルトを螺合させて電柱の外面に取り付ける電柱取付部から看板保持部までの離隔間隔を調整することができ、その看板保持部が保持する看板の背面側を電柱の外面に接近・離隔させることができる。したがって、その看板が背面側に開閉可能な足を備える場合には、その足を電柱の外面に押し付けて看板の姿勢を安定させることができる。
【発明の効果】
【００１９】
このように本発明によれば、電柱の外面に準備されている足場ボルト用ネジ穴に取付ボルトを螺合させて看板を保持させるだけで、電柱の外面に背面側が対面する姿勢に看板を取り付けることができ、既存の立看板などを電柱の足場ボルトの高さに見易く、また、邪魔にならないように取付・設置することができる。したがって、既設の電柱の目立つ高さに既存の立看板を取り付けて必要な情報を歩行者や車両の運転者などに、手軽に、また、効果的に知らせることができる。
【発明を実施するための最良の形態】
【００２０】
以下、本発明の最良の実施形態を図面に基づいて説明する。図１〜図９は本発明に係る看板取付金具の第１実施形態を示す図である。
【００２１】
図１において、看板取付金具１０は、図２に示すように、例えば、工事中などの各種情報を表示する既存の立看板１００（図８も参照）などを電柱Ｄに取り付ける際に活用するものであり、電柱Ｄに取り付ける電柱取付部１１と、立看板１００などを保持する看板保持部２１と、この電柱取付部１１および看板保持部２１を連結状態にして支持する連結支持部３１と、を備えている。
【００２２】
電柱取付部１１は、図３に示すように、電柱Ｄには予めナット部材Ｎが埋め込まれて足場ボルトＢ（図２を参照）用のネジ穴ｎが準備されていることから、そのネジ穴ｎを利用して取り付けるように設計されており、その足場ボルトＢ用のネジ穴ｎに螺合させる取付ボルト１２と、この取付ボルト１２により電柱Ｄの外周面ｄに圧接させて位置決め固定する圧接部材１５と、を備えている。
【００２３】
取付ボルト１２は、図４に示すように、足場ボルトＢ用のネジ穴ｎに螺合させるネジ部１２ａの一端側のヘッド部１２ｂに、軸心の直交方向に延在するハンドル１３が設けられており、そのハンドル１３の端部には把持部１３ａが回転自在に取り付けられている。
【００２４】
これにより、取付ボルト１２は、ネジ部１２ａの軸心を位置決めしつつハンドル１３の把持部１３ａを把持してそのネジ部１２ａの軸心回り方向に回転させることにより、ネジ部１２ａを電柱Ｄのネジ穴ｎに容易に螺合させて締め付けたり、その螺合を解除させて電柱Ｄから外すことができる。
【００２５】
圧接部材１５は、図５に示すように、電柱Ｄの外周面ｄよりも小さめの曲率で湾曲する金属製の板材よりなる受け金物１６の内面に、略同様に湾曲する肉厚の硬質ゴムよりなる圧接部１７がボルトｂによりネジ止めされている。この受け金物１６と圧接部１７には、湾曲外面から湾曲内面に向かって貫通する長穴１８（１８ａ、１８ｂ）が形成されており、この長穴１８は、その湾曲方向に取付ボルト１２の外径よりも大き目な幅程度で延在するように開口している。
【００２６】
これにより、圧接部材１５は、長穴１８内に差し込んで貫通させた取付ボルト１２のネジ部１２ａを電柱Ｄの足場ボルトＢ用のネジ穴ｎに螺合させることにより、受け金物１６の長穴１８ａの縁部に取付ボルト１２のヘッド部１２ｂをワッシャー１９を介して圧接させて電柱Ｄの外周面ｄとの間の間隔を狭めることができ、圧接部１７を圧縮させてその弾性力により電柱Ｄの外周面ｄに位置決め固定することができる。また、この圧接部材１５は、その取付ボルト１２の長穴１８内への差込位置を長さ方向に変更することにより、電柱Ｄの外周面ｄにおける取付位置を周方向に調整することができる。
【００２７】
また、取付ボルト１２は、ネジ部１２ａのヘッド部１２ｂ側にネジ山の省かれている小径部１２ｃが形成されており、その小径部１２ｃは、圧接部材１５の受け金物１６とワッシャー１９の厚さを超える程度の長さに設定されている。これに対して、圧接部材１５は、受け金物１６の長穴１８ａがその取付ボルト１２の小径部１２ｃよりも大き目でヘッド部１２ｂよりも小さめの幅に形成されており、圧接部１７の長穴１８ｂは取付ボルト１２のネジ部１２ａよりも大き目の幅に形成されている。
【００２８】
これにより、取付ボルト１２は、圧接部材１５の長穴１８内で左右方向にスライド可能に保持することができるとともに、ネジ部１２ａとヘッド部１２ｂが圧接部材１５の受け金物１６の長穴１８ａから脱落して利用不能になることなく、電柱Ｄの足場ボルトＢ用のネジ穴ｎにそのネジ部１２ａを螺合させて電柱取付部１１を取り付けることができる。なお、圧接部材１５の受け金物１６の長穴１８ａは、圧接部１７の長穴１８ｂよりも一端側が長めに形成されるとともに、その一端側には取付ボルト１２のネジ部１２ａよりも大径に形成されている差込穴１８ｃが開口しており、取付ボルト１２は、ネジ部１２ａを受け金物１６の差込穴１８ｃ内に差し込んで小径部１２ｃを長穴１８ａの反対側にスライドさせることにより圧接部材１５に組み付けることができる。
【００２９】
看板保持部２１は、図６に示すように、電柱取付部１１（電柱Ｄの外周面ｄ）の両側方側に離隔して対面するように形成されている連結支持部３１の対面部３４のそれぞれに、枠部材２２がボルト２３と蝶ナット２４により位置決め固定されている。枠部材２２は、連結支持部３１の対面部３４に密接させて固定するベース部２２ａと、このベース部２２ａの一端側から直交方向に延長形成されている側面部２２ｂと、この側面部２２ｂの延長端部からベース部２２ａに対面するように形成されている対面部２２ｃと、を備えており、この枠部材２２は、ベース部２２ａと対面部２２ｃの間に立看板１００の各種情報を表示する表示部１０１の側辺部材１０２側を挟み込んで保持するようになっている。なお、この枠部材２２は、ベース部２２ａよりも対面部２２ｃを短尺に形成して、立看板１００の側辺部材１０２側を挟み込むのに必要十分な長さに設定されており、その立看板１００の表示部１０１をできるだけ隠さないように形成されている。
【００３０】
枠部材２２は、側面部２２ｂに雌ネジ２２ｄが穿孔・刻設されて蝶ネジ２５が螺合しており、その蝶ネジ２５は、先端側に円錐状に形成されている押さえ部材２５ａが回転自在に取り付けられている。
【００３１】
これにより、枠部材２２は、雌ネジ２２ｄに螺合する蝶ネジ２５を回転させることにより反対側の枠部材２２の側面部２２ｂに向って押さえ部材２５ａを接離させることができ、ベース部２２ａと対面部２２ｃの間に挟み込んでいる立看板１００の側辺部材１０２側の側面１０２ａをその押さえ部材２５ａの間で挟圧して保持することができる。
【００３２】
また、枠部材２２は、ベース部２２ａが長尺に形成されてその内部に長穴２６が開口されており、そのベース部２２ａは、連結支持部３１の対面部３４に形成されている横長穴３２ａ内を貫通する一対のボルト２３をその長穴２６内に差し込んで蝶ナット２４を螺合させることにより締付固定することができる。
【００３３】
これにより、枠部材２２は、ボルト２３に螺合する蝶ナット２４を回転させてベース部２２ａの締付を緩めることにより、連結支持部３１の対面部３４に対して左右方向にスライドさせることができ、幅が異なる立看板１００でも離隔間隔を調整することにより、その立看板１００の側辺部材１０２側をベース部２２ａと対面部２２ｃの間に挟み込むとともに、その側面１０２ａを押さえ部材２５ａ間で挟圧して保持することができる。なお、枠部材２２のベース部２２ａは、長穴２６の周縁部を段差状に切り欠かれて凹形状部２６ａが形成されており、その長穴２６内に差し込まれるボルト２３は、ヘッド部２３ｂのネジ部２３ａ側に形成されている四角の凸形状部２３ｃをその凹形状部２６ａ内に相対回転不能に嵌め込ませて蝶ナット２４をきつく螺合させて締め付けることができる。
【００３４】
連結支持部３１は、電柱取付部１１の受け金物１６の両側に固設されてその側方外方に延長されている拡張部３２と、この拡張部３２の端部から電柱取付部１１（電柱Ｄの外周面ｄ）から離隔する直交方向に延長形成されている側腕部３３と、この側腕部３３の端部から内方に向う直交方向に延長形成されて電柱取付部１１に対面する対面部３４と、を備えており、立看板１００を保持する看板保持部２１の枠部材２２を対面部３４に固定することにより、電柱取付部１１を取付固定する電柱Ｄの外周面ｄに対して看板保持部２１の保持する立看板１００を離隔・対面する姿勢で連結支持するようになっている。
【００３５】
側腕部３３は、右側（左側でも良い）が長さ方向に２分割されてその端部同士が蝶番３６により相対回動可能に連結されており、その蝶番３６の設置箇所には、図７に示すように、側腕部３３よりも幅広で相似形状の断面コ字形状に形成されているストッパ３７がその蝶番３６の回動軸３６ａと直交する回動支点３７ａを中心にして回動可能に取り付けられている。
【００３６】
これにより、右側側腕部３３は、拡張部３２（電柱Ｄに取り付ける電柱取付部１１）側に連設されている不動側腕部３３ａに対して、対面部３４（立看板１００を保持する看板保持部２１）側に連設されている可動側腕部３３ｂを、電柱Ｄの外周面ｄから離隔する方向に相対回動させることができるとともに、その不動側腕部３３ａに対して真直になる状態に回動させてストッパ３７を蝶番３６に被せることができる。このため、右側側腕部３３は、電柱取付部１１の前面側を開放する方向に可動側腕部３３ｂを回動させることにより、取付ボルト１２のハンドル１３をその前面側の開放空間内で容易に操作可能にすることができる一方、その可動側腕部３３ｂを不動側腕部３３ａに対して真直にしてストッパ３７を蝶番３６に被せることにより、その可動側腕部３３ｂが自由に回動してしまうことを制限して立看板１００を看板保持部２１に支持させる作業を妨げてしまうことがない。このとき、取付ボルト１２のハンドル１３は、電柱取付部１１の前面側に連結支持部３１の対面部３４が位置することにより隠れた状態にすることができ、悪戯されてしまうことを避けることができる。
【００３７】
したがって、看板取付金具１０は、連結支持部３１の右側側腕部３３のストッパ３７を外して開放した操作空間内で電柱取付部１１の取付ボルト１２のハンドル１３を操作することにより、その取付ボルト１２のネジ部１２ａを電柱Ｄの足場ボルトＢ用のネジ穴ｎに容易に螺合させてその電柱Ｄの外周面ｄに圧接部材１５を所望の姿勢で圧接させ位置決め固定することができ、この電柱Ｄへの位置決め固定後には、その右側側腕部３３（不動側腕部３３ａと可動側腕部３３ｂ）を真直になる状態にしてストッパ３７を被せることにより左右の連結支持部３１の対面部３４を平行にすることができる。
【００３８】
この後に、例えば、図８に示すような既存の立看板１００を電柱Ｄに取り付ける場合には、左右の連結支持部３１の対面部３４に対して看板保持部２１の枠部材２２を左右に移動させて立看板１００の側辺部材１０２側をその枠部材２２内に挟み込ませるとともにボルト２３に蝶ナット２４をきつく螺合させることにより、枠部材２２をその立看板１００の側辺部材１０２の幅に合わせて連結支持部３１の対面部３４に位置決め固定することができ、その上で、その枠部材２２の側面部２２ｂの蝶ネジ２５を締め付ける方向に螺合回転させることによって、その蝶ネジ２５の先端の押さえ部材２５ａで立看板１００の側辺部材１０２の側面１０２ａを押さえて挟圧保持することができる。
【００３９】
このとき、立看板１００は、表示部１０１の側辺部材１０２に配設されている連結部材１０３により脚部１０４が回動自在に連設されて、その脚部１０４を開閉することにより自立させることができるように作製されているので、電柱Ｄの外周面ｄに表示部１０１の背面側を対面（正対）させる姿勢で保持されたときには、その脚部１０４の補強用横棒１０４ａが電柱Ｄの外周面ｄに圧接されている状態になって、言い換えると、看板取付金具１０と共に２箇所で支持されている状態になって、安定した姿勢で電柱Ｄに取り付けられる。
【００４０】
よって、例えば、図９に示すように、私有地ＰＬと車道ＲＷの間の歩道ＳＷに、工事中であることを通行人や車両の運転者に知らせるための立看板１００を、電柱Ｄの足場ボルトＢ用として準備されているネジ穴ｎを利用してガードレールＧＬよりも高い見易い位置に設置することができ、その足場ボルトＢは歩道ＳＷや車道ＲＷの延長方向に対する電柱Ｄの両側に取り付けるのが一般的であることから、その立看板１００を通行人や運転者の正面に向けて、見易く、また同時に、邪魔にならないように設置することができる。
【００４１】
このように本実施形態においては、看板取付金具１０と既存の立看板１００を準備するだけで、歩道ＳＷなどで新たに邪魔になることなく、その電柱Ｄの邪魔にならない側の目立つ高さに、既存の立看板１００を取付・設置することができ、必要な情報を手軽に、また、効果的に知らせることができる。
【００４２】
次に、図１０および図１１は本発明に係る看板取付金具の第２実施形態を示す図である。ここで、本実施形態は、上述実施形態と略同様に構成されていることから、同様の構成には同一の符号を付して特徴部分を説明する。
【００４３】
図１０において、看板取付金具５０は、上述実施形態と同様に、立看板１００などを電柱Ｄに取り付ける際に活用するものであり、電柱取付部１１および看板保持部２１を連結支持部５１が連結状態にして支持している。
【００４４】
連結支持部５１は、電柱取付部１１の受け金物１６の両側に固設されてその側方外方に延長されている拡張部３２と、この拡張部３２の端部から電柱取付部１１（電柱Ｄの外周面ｄ）に対して離隔する直交方向に延長形成されている側腕部５２、５３と、この側腕部５２、５３の端部同士を連結するように直交方向の内方に延長形成されて電柱取付部１１に対面する対面部５４と、を備えており、その分離不能に形成されている対面部５４の両側に立看板１００を保持する看板保持部２１の枠部材２２が固定されている。
【００４５】
側腕部５２、５３は、それぞれ長さ方向に２分割されて互いの腕部５２ａ、５２ｂ、５３ａ、５３ｂ同士を離隔させることにより拡張部３２と対面部５４とを分離可能に設計されており、そのうちの右側の内側腕部５２ａは拡張部３２の端部と蝶番５６により相対回動可能に連結されている。
【００４６】
右側側腕部５２は、図１１（ａ）に示すように、内側腕部５２ａと外側腕部５２ｂのそれぞれが角筒形状に作製されており、対面部５４に蝶番５６を介して連設されている内側腕部５２ａを外側腕部５２ｂ内に内装可能に設計されている。この右側側腕部５２は、外側腕部５２ｂに長穴５２ｃが形成されているとともに、内側腕部５２ａにはその長穴５２ｃ内で開口するネジ穴５２ｄが形成されている。これにより、右側側腕部５２は、内側腕部５２ａを外側腕部５２ｂ内に内装させることにより全長を伸縮させることができるとともに、その内装状態で長穴５２ｃ内に開口するネジ穴５２ｄに蝶ネジ５７を差し込んでナット５８を螺合させ締め付けることによりその全長を固定することができる。
【００４７】
左側側腕部５３は、図１１（ｂ）に示すように、内側腕部５３ａと外側腕部５３ｂのそれぞれが角筒形状に作製されており、外側腕部５３ｂは、右側側腕部５２に対面する内面側が切り欠かれて内側腕部５３ａをその内面側の切欠部５３ｅ側から内装可能に設計されている。この左側側腕部５３は、外側腕部５３ｂの切欠部５３ｅの対面箇所に長穴５３ｃが形成されているとともに、内側腕部５３ａにはその長穴５３ｃ内で開口するネジ穴５３ｄが形成されている。これにより、左側側腕部５３は、内側腕部５３ａを切欠部５３ｅ側から外側腕部５３ｂ内に内装させることにより全長を伸縮させることができるとともに、その内装状態で長穴５３ｃ内に開口するネジ穴５３ｄに蝶ネジ５７を差し込んでナット５８を螺合させ締め付けることによりその全長を固定することができる。
【００４８】
したがって、看板取付金具５０は、連結支持部５１の左側側腕部５３を内側腕部５３ａと外側腕部５３ｂに分離させるとともに、蝶番５６を中心にして右側側腕部５２を回動させることにより、拡張部３２（電柱Ｄに取り付ける電柱取付部１１）側に対して、対面部５４（立看板１００を保持する看板保持部２１）側を電柱Ｄの外周面ｄから離隔する方向、言い換えると、電柱取付部１１の前面側を開放する方向に、左側側腕部５３の外側腕部５３ｂと共に対面部５４を回動させることができ、取付ボルト１２のハンドル１３をその前面側の開放空間内で容易に操作して電柱Ｄに取り付けることができる。
【００４９】
一方、この看板取付金具５０は、その右側側腕部５２を回動させて拡張部３２（電柱Ｄに取り付ける電柱取付部１１）側に対して、対面部５４（立看板１００を保持する看板保持部２１）側を電柱Ｄの外周面ｄに接近する方向、言い換えると、電柱取付部１１の前面側を閉止する方向に、対面部５４と共に左側側腕部５３の外側腕部５３ｂを回動させることにより、左側側腕部５３の外側腕部５３ｂ内に内側腕部５３ａを内装させて蝶ネジ５７とナット５８でネジ止めすることができ、右側側腕部５２が自由に回動してしまうことを制限して立看板１００を看板保持部２１に支持させる作業を妨げてしまうことがない。
【００５０】
また、この看板取付金具５０は、その蝶ネジ５７とナット５８の螺合を緩めることにより側腕部５２、５３の内側腕部５２ａ、５３ａに対して外側腕部５２ｂ、５３ｂをスライド伸縮させて全長を調整することができ、すなわち、電柱取付部１１（電柱Ｄ）と看板保持部２１（立看板１００）の離隔間隔を調整して、立看板１００の寸法に拘わらずにその脚部１０４の補強用横棒１０４ａを電柱Ｄの外周面ｄに圧接させて姿勢を安定させる状態に取り付けることができる。
【００５１】
このように本実施形態においては、上述実施形態と同様の作用効果を得ることができるとともに、立看板１００の姿勢をより確実に安定させることができる。
【００５２】
ここで、上述実施形態の他の態様としては、図１２に示すように、看板１００が各種情報を表示する表示部１０１の変形を防止するために、例えば、その表示部１０１の側辺部材１０２間の中央付近を連結する補強用横棒１１０が設けられている場合には問題にならないが、その補強用横棒１１０が省略されていて側辺部材１０２の強度が十分でない場合には、その側辺部材１０２が看板保持部２１の枠部材２２に設けられている蝶ネジ２５の押さえ部材２５ａにより大きく湾曲することにより、表示部１０１を変形させてしまったり、脱落させてしまう可能性がある。
【００５３】
このことから、看板取付金具１０、５０は、図１３に示すように、その看板保持部２１の蝶ネジ２５の押さえ部材２５ａが圧接する看板１００の表示部１０１の側辺部材１０２を補強する一対の補強板６１を備えさせても良い。この補強板６１は、表示部１０１の側辺部材１０２を覆うように断面コ字形状に形成されているとともに、その側辺部材１０２の一定長さ以上を覆うことができる長さを有している。この場合には、看板１００は、表示部１０１の両側の側辺部材１０２にその補強板６１を設置することにより、看板保持部２１の蝶ネジ２５の押さえ部材２５ａが側辺部材１０２に圧接したとしても、一箇所に応力が集中して加わることなく、補強板６１の全長でその応力を受けることができ、側辺部材１０２の湾曲を制限して表示部１０１が変形してしまったり、落下してしまう可能性を少なくすることができる。
【００５４】
また、看板取付金具１０、５０は、この補強板６１に限ることなく、図１４に示すように、その看板１００の側辺部材１０２同士を離隔させる方向に突っ張る補強金物７０を補強用横棒１１０に代えて設置可能に備えさせても良い。この補強金物７０は、看板保持部２１の蝶ネジ２５の押さえ部材２５ａが圧接する看板１００の表示部１０１の側辺部材１０２を覆うように断面コ字形状に形成されている取付板７１と、この取付板７１に連設されているターンバックル７２と、を備えており、ターンバックル７２は、一対の取付板７１のそれぞれの対向面に鉛直姿勢になるように固設されて相対的に逆ネジの関係になる逆雄ネジ部材７２ａを、本体部材７２ｂの両端側に形成されている不図示の逆雌ネジ部に螺合させて回転させることにより、その端部の取付板７１同士を接離方向に移動させることができる。この場合にも、看板１００は、表示部１０１の側辺部材１０２の中央付近に補強金物７０を取り付けて取付板７１同士を離隔させて突っ張る状態にすることにより、看板保持部２１の蝶ネジ２５の押さえ部材２５ａが圧接したとしても、補強用横棒１１０を備える場合と同様に、その側辺部材１０２の離隔間隔を維持することができ、側辺部材１０２の湾曲を制限して、表示部１０１が変形してしまったり、落下してしまう可能性を少なくすることができる。
【００５５】
さらに、上述実施形態のいずれも、１組の看板取付金具１０、５０を用いて立看板１００を電柱Ｄに取り付ける場合を一例に説明するが、これに限るものではなく、例えば、２組の看板取付金具１０、５０を用いて立看板１００を電柱Ｄに取り付けることもでき、この場合には、一般的には、電柱Ｄの足場ボルトＢ用のネジ穴ｎが左右に４５ｃｍ間隔に設置されていることから、片側のネジ穴ｎを利用して立看板１００を９０ｃｍ間隔で保持して安定した状態に取り付けることもできる。
【産業上の利用可能性】
【００５６】
これまで本発明の一実施形態について説明したが、本発明は上述の実施形態に限定されず、その技術的思想の範囲内において種々異なる形態にて実施されてよいことは言うまでもない。
【図面の簡単な説明】
【００５７】
【図１】本発明に係る看板取付金具の第１実施形態を示す図であり、その概略全体構成を示す平面図である。
【図２】その使用時の状態を示す側面図である。
【図３】その電柱側の取付構造を示す透視平面図である。
【図４】その電柱取付部の要部部品を示す平面図である。
【図５】その電柱取付部を示す図であり、（ａ）はその一部断面平面図、（ｂ）はその要部構造を示す拡大正面図である。
【図６】その看板保持部を示す図であり、（ａ）はその一部断面平面図、（ｂ）はその要部構造を示す拡大正面図である。
【図７】その連結支持部の要部構造を示す斜視図である。
【図８】その立看板の一例を示す斜視図である。
【図９】その設置環境を説明する立面図である。
【図１０】本発明に係る看板取付金具の第２実施形態を示す図であり、その概略全体構成を示す平面図である。
【図１１】その連結支持部の要部構造を示す図であり、（ａ）はその右側の要部構造を示す拡大側面図、（ｂ）はその左側の要部構造を示す拡大側面図である。
【図１２】第１、第２実施形態の他の態様の課題を説明する図であり、看板の構造を示す斜視図である。
【図１３】その第１の他の態様の要部部品を示す図であり、（ａ）はその取付を説明する分解斜視図、（ｂ）はその要部部品を取り付けた状態を示す概念上面図である。
【図１４】その第２の他の態様の要部部品を示す図であり、（ａ）はその要部部品を取り付けた状態を示す斜視図、（ｂ）はその要部部品を取り付けた状態を示す概念上面図である。
【符号の説明】
【００５８】
１０、５０……看板取付金具    １１……電柱取付部    １２……取付ボルト    １２ｃ……小径部    １３……ハンドル    １５……圧接部材    １６……受け金物    １７……圧接部    １８、１８ａ、１８ｂ、２６、５２ｃ、５３ｃ……長穴    １８ｃ……差込穴    ２１……看板保持部    ２２……枠部材    ２３……ボルト    ２４……蝶ナット    ２５、５７……蝶ネジ    ２５ａ……押さえ部材    ３１、５１……連結支持部    ３２……拡張部    ３３……側腕部    ３３ａ……不動側腕部    ３３ｂ……可動側腕部    ３４、５４……対面部    ３６、５６……蝶番    ３７……ストッパ    ５２……右側側腕部    ５２ａ、５３ａ……内側腕部    ５２ｂ、５３ｂ……外側腕部    ５２ｄ、５３ｄ……ネジ穴    ５３……左側側腕部    ５３ｅ……切欠部    ５８……ナット    ６１……補強板    ７０……補強金物    ７１……取付板    ７２……ターンバックル    １００……立看板    １０１……表示部    １０２……側辺部材    １０２ａ……側面    １０３……連結部材    １０４……脚部    １０４ａ、１１０……補強用横棒    Ｂ……足場ボルト    Ｄ……電柱    ｄ……外周面    ＧＬ……ガードレール    Ｎ……ナット部材    ｎ……ネジ穴    ＰＬ……私有地    ＲＷ……車道    ＳＷ……歩道
【図１】
2009014878.tif 000003
【図２】
2009014878.tif 000004
【図３】
2009014878.tif 000005
【図４】
2009014878.tif 000006
【図５】
2009014878.tif 000007
【図６】
2009014878.tif 000008
【図７】
2009014878.tif 000009
【図８】
2009014878.tif 000010
【図９】
2009014878.tif 000011
【図１０】
2009014878.tif 000012
【図１１】
2009014878.tif 000013
【図１２】
2009014878.tif 000014
【図１３】
2009014878.tif 000015
【図１４】
2009014878.tif 000016